(57)【要約】【課題】フィルターが配置された液体供給路内の気泡を効率よく排出することができる液体噴射装置を提供する。【解決手段】インクジェット式プリンターは、メインタンクから液体供給路１７を介して供給されるインクを噴射する液体噴射部と、液体供給路１７に配置されて異物を捕集するフィルター２９及びフィルター２９を通過するインクを貯留する上流側フィルター室３０を有したフィルター部２７と、上流側フィルター室３０に接続されて液体供給路１７内の気泡を含むインクを外部へ排出可能な排出流路３２とを備えている。【選択図】図２
2018008379.tif 000002
【特許請求の範囲】
【請求項１】
液体供給源から液体供給路を介して供給される液体を噴射する液体噴射部と、
前記液体供給路に配置されて異物を捕集するフィルター及び前記フィルターを通過する前記液体を貯留する上流側フィルター室を有したフィルター部と、
前記上流側フィルター室に接続されて前記液体供給路内の流体を外部へ排出可能な排出流路と、
を備えたことを特徴とする液体噴射装置。
【請求項２】
前記液体供給路における前記フィルター部よりも前記液体供給源側となる位置には、前記液体を前記液体噴射部側に供給する供給ポンプが設けられていることを特徴とする請求項１に記載の液体噴射装置。
【請求項３】
前記供給ポンプを制御する制御部を備え、
前記制御部は、前記排出流路が前記外部と連通した状態で前記供給ポンプを駆動することを特徴とする請求項２に記載の液体噴射装置。
【請求項４】
前記排出流路と前記外部とが連通する連通状態と、前記排出流路と前記外部とが連通しない非連通状態との間で切り替え可能な排出弁を備えたことを特徴とする請求項１〜請求項３のうちいずれか一項に記載の液体噴射装置。
【請求項５】
前記排出弁を制御する制御部を備え、
前記制御部は、前記液体供給路内が加圧された状態において、前記排出弁を制御して前記非連通状態から前記連通状態に切り替えることを特徴とする請求項４に記載の液体噴射装置。
【請求項６】
前記液体供給路内の圧力を検出する圧力センサーを備えることを特徴とする請求項１〜請求項５のうちいずれか一項に記載の液体噴射装置。
【請求項７】
前記液体供給路における前記フィルター部よりも前記液体供給源側となる位置に設けられて前記液体を前記液体噴射部側に供給する供給ポンプと、
前記排出流路の前記外部に対する連通状態と非連通状態とを切替え可能な排出弁と、
前記液体供給路内の圧力を検出する圧力センサーと、
前記排出弁及び前記供給ポンプを制御する制御部と、
前記排出流路が前記外部に対して非連通状態であるときに前記供給ポンプが駆動された状態において、前記圧力センサーによって検出された圧力に基づいて前記フィルターの目詰まりの程度を推測する推測部と、
を備えたことを特徴とする請求項１に記載の液体噴射装置。
【請求項８】
前記制御部は、前記推測部によって前記フィルターの目詰まりの程度を推測する際に実行されるフィルター目詰まり推測動作の前に、前記液体供給路内が加圧された状態において、前記排出弁を制御して前記排出流路が前記外部に対して非連通状態から連通状態になるように切り替えることを特徴とする請求項７に記載の液体噴射装置。
【請求項９】
前記推測部は、前記圧力センサーによって検出された圧力が設定された閾値よりも高い場合に、前記フィルターの目詰まりの程度が前記フィルターの交換を必要とする状態であると推測することを特徴とする請求項７または請求項８に記載の液体噴射装置。
【請求項１０】
前記圧力センサーは、前記排出流路に設けられていることを特徴とする請求項６〜請求項９のうちいずれか一項に記載の液体噴射装置。
【発明の詳細な説明】
【技術分野】
【０００１】
本発明は、例えばインクジェット式プリンターなどの液体噴射装置に関する。
【背景技術】
【０００２】
一般に、液体噴射装置の一種として、記録ヘッドのノズルからインクを噴射して用紙の印刷を行うインクジェット式プリンターが知られている。こうしたプリンターには、ポンプの駆動により、インクタンクのインクを、インク供給路を介して記録ヘッドに供給するものがある（例えば、特許文献１参照）。
【先行技術文献】
【特許文献】
【０００３】
【特許文献１】特開２０１４−２４３２０号公報
【発明の概要】
【発明が解決しようとする課題】
【０００４】
ところで、上述のようなプリンターでは、例えばインク供給路の途中位置にインクを濾過するフィルターを配置した場合、インク供給路内の気泡がフィルターにおける上流側（インクタンク側）の面に滞留しやすくなるため、この滞留した気泡を効率よく排出することが困難であるという問題がある。
【０００５】
なお、こうした問題は、ノズルからインクを噴射して印刷を行うインクジェット式プリンターに限らず、液体を噴射する液体噴射部に液体を供給する液体供給路にフィルターを配置した液体噴射装置においては、概ね共通したものとなっている。
【０００６】
本発明は、このような従来技術に存在する問題点に着目してなされたものである。その目的とするところは、フィルターが配置された液体供給路内の気泡を効率よく排出することができる液体噴射装置を提供することにある。
【課題を解決するための手段】
【０００７】
以下、上記課題を解決するための手段及びその作用効果について記載する。
上記課題を解決する液体噴射装置は、液体供給源から液体供給路を介して供給される液体を噴射する液体噴射部と、前記液体供給路に配置されて異物を捕集するフィルター及び前記フィルターを通過する前記液体を貯留する上流側フィルター室を有したフィルター部と、前記上流側フィルター室に接続されて前記液体供給路内の流体を外部へ排出可能な排出流路と、を備えた。
【０００８】
この構成によれば、上流側フィルター室に滞留した気泡を排出流路から直接外部へ排出することができるので、フィルターが配置された液体供給路内の気泡を効率よく排出することができる。
【０００９】
上記液体噴射装置において、前記液体供給路における前記フィルター部よりも前記液体供給源側となる位置には、前記液体を前記液体噴射部側に供給する供給ポンプが設けられていることが好ましい。
【００１０】
この構成によれば、供給ポンプの駆動により、液体供給源から液体噴射部に向かって液体を供給することができる。
上記液体噴射装置は、前記供給ポンプを制御する制御部を備え、前記制御部は、前記排出流路が前記外部と連通した状態で前記供給ポンプを駆動することが好ましい。
【００１１】
この構成によれば、制御部による供給ポンプの駆動により、液体供給路内の気泡を含む液体（流体）を排出流路から外部へ排出することができる。
上記液体噴射装置は、前記排出流路と前記外部とが連通する連通状態と、前記排出流路と前記外部とが連通しない非連通状態との間で切り替え可能な排出弁を備えることが好ましい。
【００１２】
この構成によれば、排出弁の開閉動作により、排出流路と外部とが連通する連通状態と、排出流路と外部とが連通しない非連通状態との間で切り替えることができる。
上記液体噴射装置は、前記排出弁を制御する制御部を備え、前記制御部は、前記液体供給路内が加圧された状態において、前記排出弁を制御して前記非連通状態から前記連通状態に切り替えることが好ましい。
【００１３】
この構成によれば、制御部による排出弁の制御によって排出流路と外部とが連通する連通状態に切り替えることで、液体供給路内の気泡を含む液体（流体）を排出流路から外部へ排出することができる。
【００１４】
上記液体噴射装置は、前記液体供給路内の圧力を検出する圧力センサーを備えることが好ましい。
この構成によれば、圧力センサーにより、液体供給路内の圧力を検出することができる。
【００１５】
上記液体噴射装置は、前記液体供給路における前記フィルター部よりも前記液体供給源側となる位置に設けられて前記液体を前記液体噴射部側に供給する供給ポンプと、前記排出流路の前記外部に対する連通状態と非連通状態とを切替え可能な排出弁と、前記液体供給路内の圧力を検出する圧力センサーと、前記排出弁及び前記供給ポンプを制御する制御部と、前記排出流路が前記外部に対して非連通状態であるときに前記供給ポンプが駆動された状態において、前記圧力センサーによって検出された圧力に基づいて前記フィルターの目詰まりの程度を推測する推測部と、を備えることが好ましい。
【００１６】
この構成によれば、推測部により圧力センサーを利用してフィルターの目詰まりの程度を推測できるので、フィルターの目詰まりの程度に応じた液体供給制御やフィルターの交換時期の推測を行うことができる。
【００１７】
上記液体噴射装置において、前記制御部は、前記推測部によって前記フィルターの目詰まりの程度を推測する際に実行されるフィルター目詰まり推測動作の前に、前記液体供給路内が加圧された状態において、前記排出弁を制御して前記排出流路が前記外部に対して非連通状態から連通状態になるように切り替えることが好ましい。
【００１８】
この構成によれば、上流側フィルター室の気泡が排出流路から排出された後にフィルター目詰まり推測動作が実行されるので、気泡を起因とする推測部によるフィルター目詰まり推測動作における誤推測を抑制することができる。したがって、より高い精度でフィルターの目詰まりの程度を推測することができる。
【００１９】
上記液体噴射装置において、前記推測部は、前記圧力センサーによって検出された圧力が設定された閾値よりも高い場合に、前記フィルターの目詰まりの程度が前記フィルターの交換を必要とする状態であると推測することが好ましい。
【００２０】
この構成によれば、フィルターの交換時期を推測することができる。
上記液体噴射装置において、前記圧力センサーは、前記排出流路に設けられていることが好ましい。
【００２１】
この構成によれば、例えば液体供給路に液体供給源から液体噴射部に向かって液体を供給する供給ポンプを設けた場合に、圧力センサーが供給ポンプの駆動による液体供給路内の細かな圧力変動を検出し難くなるので、液体供給路内の圧力を精度よく検出することができる。
【図面の簡単な説明】
【００２２】
【図１】一実施形態のインクジェット式プリンターの概略構成を示す模式図。
【図２】インクジェット式プリンターにおけるフィルター部の断面模式図。
【図３】インクジェット式プリンターの電気的構成を示すブロック図。
【発明を実施するための形態】
【００２３】
以下、液体噴射装置の一実施形態を図面に従って説明する。
図１に示すように、液体噴射装置の一例としてのインクジェット式プリンター１１は、ノズル形成面１２に形成された複数のノズル１３から液体の一例としてのインクを噴射する液体噴射部１４と、液体噴射部１４にインクを供給する液体供給装置１５とを備えている。液体供給装置１５は、液体供給源の一例としてのメインタンク１６内のインクを液体噴射部１４に供給する液体供給路１７を備えている。液体供給路１７は、例えば可撓性を有したチューブなどによって形成される。
【００２４】
メインタンク１６は、タンクホルダー１８の載置面１９上に支持され、内部のインクを導出するための液体導出部２０を有している。液体導出部２０には、液体導出部２０と接続可能な液体導入部（図示略）を有した接続体２１が着脱自在に接続されている。接続体２１には液体供給路１７の上流端側が接続され、液体供給路１７の下流端側は液体噴射部１４に接続されている。したがって、メインタンク１６内のインクは、上流側となるメインタンク１６から液体導出部２０、接続体２１、及び液体供給路１７を介して下流側となる液体噴射部１４に供給される。
【００２５】
タンクホルダー１８には、タンクホルダー１８に支持されたメインタンク１６の液体導出部２０側を覆うカバー２２と、カバー２２の開閉状態を検出するカバーセンサー２３とが設けられている。カバー２２は、タンクホルダー１８に支持されたメインタンク１６の液体導出部２０側を覆う閉位置と、タンクホルダー１８に支持されたメインタンク１６の液体導出部２０側を開放する開位置との間で回動軸２４を中心に回動自在となるようにタンクホルダー１８に設けられている。
【００２６】
液体供給路１７において、接続体２１及びタンクホルダー１８の下流側には液体供給路１７を開閉する供給弁２５が設けられ、供給弁２５の下流側には液体供給路１７内のインクを下流側に向かって流動させる供給ポンプ２６が設けられている。供給弁２５は例えば電磁弁によって構成され、供給ポンプ２６は例えばダイヤフラムポンプによって構成される。供給弁２５は、インクジェット式プリンター１１の電源がオフのときには閉弁状態になるように設定されている。
【００２７】
液体供給路１７における供給ポンプ２６の下流側には、液体供給路１７を流れるインク中の異物を捕集するフィルター部２７が設けられている。したがって、インクを液体噴射部１４側に供給する供給ポンプ２６は、液体供給路１７におけるフィルター部２７よりもメインタンク１６側となる位置に配置されている。
【００２８】
図１及び図２に示すように、フィルター部２７は、中空円柱状のケース２８と、ケース２８内の中央部に配置された円筒状のフィルター２９と、ケース２８内の空間であってフィルター２９の上流側に位置する上流側フィルター室３０とを備えている。上流側フィルター室３０は、フィルター部２７の上流側の液体供給路１７と連通している。フィルター部２７は、上流側が下流側よりも高くなるように傾斜して配置されている。フィルター２９の軸線方向の両側は支持板３１によってそれぞれ閉塞され、フィルター２９の中央の孔２９ａはフィルター部２７の下流側の液体供給路１７と連通している。
【００２９】
そして、上流側からフィルター部２７に供給されたインクは、一時的に上流側フィルター室３０に貯留された後、フィルター２９の外周面からフィルター２９内に進入して孔２９ａに至るまでの過程で気泡などを含む異物が除去される。このフィルター２９を通過することによって異物が除去されたインクは、フィルター２９の孔２９ａからフィルター部２７の下流側の液体供給路１７へ供給される。
【００３０】
上流側フィルター室３０における重力方向と反対側の端部（図２の矢印で示す方向の端部）である上端部には液体供給路１７内のインクや気泡などの流体を外部へ排出可能な排出流路３２の上流端が接続され、排出流路３２の下流端は廃液タンク３３内に挿入されている。この場合、排出流路３２の上流端は、上流側フィルター室３０における最も高い位置であってコーナー部に接続されている。つまり、排出流路３２の上流端は、上流側フィルター室３０における最も気泡が集まりやすい位置に接続されている。
【００３１】
排出流路３２の途中位置には、液体供給路１７内の圧力を検出する圧力センサーの一例としての液圧センサー３４が設けられている。排出流路３２における液圧センサー３４の下流側には、排出流路３２を開閉する排出弁３５が設けられている。すなわち、排出弁３５は、その開閉動作により、排出流路３２と外部とが連通する連通状態と、排出流路３２と外部とが連通しない非連通状態との間で切り替え可能になっている。排出弁３５は例えば電磁弁によって構成され、インクジェット式プリンター１１の電源がオフのときには開弁状態になるように設定されている。
【００３２】
図１に示すように、液体供給路１７におけるフィルター部２７の下流側には、液体供給路１７を開閉する上流弁３６が設けられている。液体供給路１７における上流弁３６の下流側には、メインタンク１６から供給されるインクを貯留するサブタンクユニット３７が設けられている。液体供給路１７におけるサブタンクユニット３７の下流側には、液体供給路１７を開閉する下流弁３８が設けられている。上流弁３６及び下流弁３８は、それぞれ電磁弁によって構成され、インクジェット式プリンター１１の電源がオフのときにはそれぞれ閉弁状態になるように設定されている。
【００３３】
サブタンクユニット３７は、可撓性部材で形成された袋状の中間貯留部３９と、液量センサー６０と、可撓性部材で形成された袋状の押圧部４０とを備えている。中間貯留部３９は、液体供給路１７の途中位置に配置され、内部に貯留されるインクの量に応じて膨らんだり縮んだりする。液量センサー６０は、中間貯留部３９の膨らみ具合から中間貯留部３９内のインク量を検出する。押圧部４０は、中間貯留部３９と隣接するように配置されている。押圧部４０には、空気供給部４１から延びる空気供給路４２の下流端が接続されている。空気供給部４１は、工場などの設備に備えられたものを利用してもよいし、エアーポンプなどで構成してもよい。
【００３４】
空気供給路４２の途中位置には空気供給路４２内の空気圧を検出する空気圧センサー４３が設けられ、空気供給路４２における空気圧センサー４３よりも押圧部４０側の位置には、空気供給路４２を開閉する空気弁４４が設けられている。そして、上流弁３６を閉弁するとともに下流弁３８を開弁した状態で押圧部４０が空気供給部４１からの空気の供給を受けて膨張すると、押圧部４０によって中間貯留部３９が押圧されて中間貯留部３９内に貯留されているインクが液体噴射部１４側へ供給される。
【００３５】
液体供給路１７における下流弁３８よりも下流側には液体噴射部１４に供給されるインクの圧力を調整する圧力調整弁４５が設けられ、圧力調整弁４５の下流側には液体供給路１７の下流端側が接続された液体噴射部１４が配置されている。圧力調整弁４５及び液体噴射部１４は、走査方向に沿って往復移動可能に設けられたキャリッジ４６に支持されている。この場合、液体噴射部１４は、キャリッジ４６の下端部に配置されている。なお、圧力調整弁４５と液体噴射部１４とは一体に形成するようにしてもよい。
【００３６】
圧力調整弁４５は、インク中の気泡などの異物を捕捉する弁内フィルター４７によって仕切られたフィルター室４８と供給室４９とを備えている。さらに、圧力調整弁４５は、供給室４９と連通孔５０を介して連通する圧力室５１と、圧力室５１と供給室４９との間に設けられた弁体５２と、弁体５２を閉弁方向に付勢する付勢部材５３とを備えている。すなわち、弁体５２は、連通孔５０に挿通されており、付勢部材５３に付勢されることで連通孔５０を塞ぐように設けられている。
【００３７】
圧力室５１は、壁面の一部が付勢部材５３の付勢方向に沿って撓み変形可能なダイヤフラム５４により構成されている。このダイヤフラム５４は、外面側（図１では左面側）に大気圧を受ける一方で、内面側（図１では右面側）に圧力室５１内のインクの圧力を受ける。したがって、ダイヤフラム５４は圧力室５１内のインクの圧力と大気圧（ダイヤフラム５４の外面側に受ける圧力）との差圧の変化に応じて撓み変位する。
【００３８】
また、供給室４９は、中間貯留部３９から供給されてくるインクによって加圧状態に保持される。そして、圧力室５１内の圧力が大気圧より低く、且つ圧力室５１内の圧力と大気圧との差圧が所定の圧力差より大きくなると、弁体５２が付勢部材５３の付勢力によって圧力室５１と供給室４９との連通を規制した状態から圧力室５１と供給室４９とを連通した状態となる。
【００３９】
続いて、供給室４９から圧力室５１にインクが流入することで、圧力室５１内の圧力と大気圧との差圧が所定の圧力差に戻ると、弁体５２が圧力室５１と供給室４９との連通を規制する。このようにして、圧力調整弁４５は、ノズル１３の背圧となる液体噴射部１４内の圧力を調整するために、液体噴射部１４に供給されるインクの圧力を調整する。
【００４０】
液体噴射部１４内には、圧力調整弁４５側から供給されるインク中の気泡などの異物を捕捉する噴射部内フィルター５５が設けられている。したがって、液体噴射部１４のノズル１３からは、噴射部内フィルター５５を通過した後のインクが噴射される。そして、キャリッジモーター（図示略）の駆動によりキャリッジ４６を走査方向に沿って往復移動させながら液体噴射部１４の各ノズル１３から用紙などの媒体に向けてインクを噴射することで、媒体の印刷が行われる。
【００４１】
なお、図１のインクジェット式プリンター１１では液体噴射部１４に１種類（１色）のインクを供給する場合の液体供給装置１５を描いているが、インクジェット式プリンター１１で用いられるインクの種類（色）が複数ある場合にはそのインクの種類数（色数）と同じ数だけ液体供給装置１５が必要となる。例えば、インクジェット式プリンター１１が８色のインクを使用するカラープリンターである場合には、液体供給装置１５が８つ必要となる。この場合、各液体供給装置１５間で廃液タンク３３を共用することが好ましい。
【００４２】
次に、インクジェット式プリンター１１の電気的構成について説明する。
図３に示すように、インクジェット式プリンター１１（図１参照）は、インクジェット式プリンター１１を統括的に制御する制御部５６を備えている。制御部５６は、コンピューター５７を備えている。コンピューター５７は、ＣＰＵと、ＲＯＭ及びＲＡＭで構成されたメモリー５８とを備えている。コンピューター５７は、メモリー５８に記憶されたプログラムを実行することにより推測部５９を構築する。
【００４３】
図１〜図３に示すように、推測部５９は、排出流路３２が外部に対して非連通状態であるときに供給ポンプ２６が駆動された状態において、液圧センサー３４によって検出された圧力に基づいてフィルター２９の目詰まりの程度を推測する。メモリー５８には、推測部５９によってフィルター２９の目詰まりの程度を推測する際に実行されるフィルター目詰まり推測動作の際に用いる閾値Ｓが記憶されている。この閾値Ｓは、フィルター２９の交換時期の目安となる値に設定され、予め実験やシミュレーションによって求められる。
【００４４】
図３に示すように、制御部５６の入力側インターフェース（図示略）には、液圧センサー３４、液量センサー６０、空気圧センサー４３、及びカバーセンサー２３がそれぞれ電気的に接続されている。一方、制御部５６の出力側インターフェース（図示略）には、供給ポンプ２６、供給弁２５、排出弁３５、上流弁３６、下流弁３８、及び空気弁４４がそれぞれ電気的に接続されている。そして、制御部５６は、液圧センサー３４、液量センサー６０、カバーセンサー２３、及び空気圧センサー４３から送信される信号に基づいて、供給ポンプ２６の駆動を制御するとともに供給弁２５、排出弁３５、上流弁３６、下流弁３８、及び空気弁４４の開閉動作を個別に制御する。
【００４５】
次に、インクジェット式プリンター１１の作用について説明する。
さて、供給ポンプ２６の駆動によりメインタンク１６から液体供給路１７を介して液体噴射部１４に供給されたインクを各ノズル１３から媒体に向けて噴射して印刷を行っていると、フィルター部２７のフィルター２９によって捕集された気泡が徐々に上流側フィルター室３０内に滞留する。そして、この上流側フィルター室３０内に滞留した気泡を排出する場合には、まず、閉弁されていた排出弁３５を開弁させると、排出流路３２が外部と連通した状態になる。
【００４６】
この状態で供給ポンプ２６を駆動させると、上流側フィルター室３０内に滞留した気泡がインクと共に排出流路３２を介して廃液タンク３３に排出される。このとき、排出流路３２の上流端は上流側フィルター室３０における最も気泡が集まりやすい上端部に接続されているため、上流側フィルター室３０内に滞留した気泡は円滑に効率よく廃液タンク３３に排出される。このため、気泡と共に廃液タンク３３に排出されるインク量が少なくなるので、インクの無駄な消費が抑えられる。
【００４７】
また、印刷中は排出弁３５が閉弁された状態で供給ポンプ２６が駆動されるため、印刷後に供給ポンプ２６を停止しても液体供給路１７内は加圧された状態が継続される。あるいは、印刷を行わなくても排出弁３５が閉弁された状態で外部の温度が上昇すると液体供給路１７内が加圧された状態になる。そして、液体供給路１７内が加圧されて液体供給路１７内の圧力が大きくなりすぎると、種々の不具合が発生するおそれがある。このため、上述のように液体供給路１７内が加圧された状態になった場合には、閉弁されていた排出弁３５を開弁させることにより、排出流路３２を外部と連通しない非連通状態から外部と連通する連通状態に切り替えることで、液体供給路１７内の加圧状態を解除することができる。
【００４８】
また、フィルター２９が目詰まりすると、インクがフィルター２９を通過し難くなるので、排出流路３２が外部に対して非連通状態（排出弁３５が閉弁された状態）であるときに供給ポンプ２６が駆動されると、上流側フィルター室３０の圧力が大きくなる。このときの上流側フィルター室３０の圧力は液圧センサー３４によって検出されるので、この液圧センサー３４によって検出された圧力に基づいてフィルター２９の目詰まりの程度が推測部５９によって推測される。この場合、推測部５９は、この液圧センサー３４によって検出された圧力が閾値Ｓよりも高い場合に、フィルター２９の目詰まりの程度がフィルター２９の交換を必要とする状態（フィルター２９の交換時期）であると推測する。
【００４９】
さらにこの場合、予め行った実験やシミュレーションに基づいて求めた上流側フィルター室３０の圧力とフィルター２９の目詰まりの程度との関係を示すテーブルをメモリー５８に記憶しておくことで、当該テーブルに基づくフィルター２９の目詰まりの程度に応じたインクの供給制御などを行うことも可能となる。
【００５０】
以上、詳述した実施形態によれば以下の効果を得ることができる。
（１）インクジェット式プリンター１１は、フィルター部２７の上流側フィルター室３０に接続されて液体供給路１７内の気泡を含むインクを外部へ排出可能な排出流路３２を備えている。このため、上流側フィルター室３０に滞留した気泡を排出流路３２から直接外部へ排出することができるので、フィルター２９が配置された液体供給路１７内の気泡を効率よく排出することができる。
【００５１】
（２）インクジェット式プリンター１１において、液体供給路１７におけるフィルター部２７よりもメインタンク１６側となる位置には、インクを液体噴射部１４側に供給する供給ポンプ２６が設けられている。このため、供給ポンプ２６の駆動により、メインタンク１６から液体噴射部１４に向かってインクを円滑に供給することができる。
【００５２】
（３）インクジェット式プリンター１１は、供給ポンプ２６を制御する制御部５６を備え、制御部５６は、排出流路３２が外部と連通した状態で供給ポンプ２６を駆動する。このため、制御部５６による供給ポンプ２６の駆動により、液体供給路１７内の気泡を含むインク（流体）を排出流路３２から外部へ排出することができる。
【００５３】
（４）インクジェット式プリンター１１は、排出流路３２と外部とが連通する連通状態と、排出流路３２と外部とが連通しない非連通状態との間で切り替え可能な排出弁３５を備えている。このため、排出弁３５の開閉動作により、排出流路３２と外部とが連通する連通状態と、排出流路３２と外部とが連通しない非連通状態との間で切り替えることができる。
【００５４】
（５）インクジェット式プリンター１１は、排出弁３５を制御する制御部５６を備え、制御部５６は、液体供給路１７内が加圧された状態において、排出弁３５を制御して非連通状態から連通状態に切り替える。このため、制御部５６による排出弁３５の制御によって排出流路３２と外部とが連通する連通状態に切り替えることで、液体供給路１７内の気泡を含むインク（流体）を排出流路３２から外部へ排出することができる。
【００５５】
（６）インクジェット式プリンター１１は、液体供給路１７内の圧力を検出する液圧センサー３４を備えている。このため、液圧センサー３４により、液体供給路１７内の圧力を検出することができる。
【００５６】
（７）インクジェット式プリンター１１は、排出流路３２が外部に対して非連通状態であるときに供給ポンプ２６が駆動された状態において、液圧センサー３４によって検出された圧力に基づいてフィルター２９の目詰まりの程度を推測する推測部５９を備えている。このため、推測部５９により液圧センサー３４を利用してフィルター２９の目詰まりの程度を推測できるので、フィルター２９の目詰まりの程度に応じたインクの供給制御やフィルター２９の交換時期の推測を行うことができる。
【００５７】
（８）インクジェット式プリンター１１において、推測部５９は、液圧センサー３４によって検出された圧力が設定された閾値Ｓよりも高い場合に、フィルター２９の目詰まりの程度がフィルター２９の交換を必要とする状態であると推測する。このため、フィルター２９の交換時期を推測することができる。
【００５８】
（９）インクジェット式プリンター１１において、液圧センサー３４は、排出流路３２に設けられている。このため、液圧センサー３４が供給ポンプ２６の駆動による液体供給路１７内のノイズとなる細かな圧力変動（インクの脈動）を検出し難くなるので、液体供給路１７内の圧力を精度よく検出することができる。
【００５９】
（変更例）
なお、上記実施形態は以下のように変更してもよい。
・制御部５６は、推測部５９によってフィルター２９の目詰まりの程度を推測する際に実行されるフィルター目詰まり推測動作の前に、液体供給路１７内が加圧された状態において、排出弁３５を制御して排出流路３２が外部に対して非連通状態から連通状態になるように切り替えるようにしてもよい。すなわち、制御部５６は、推測部５９によるフィルター目詰まり推測動作が実行される前に、液体供給路１７内が加圧された状態で閉弁されている排出弁３５を開弁させて上流側フィルター室３０の気泡をインクと共に排出流路３２から排出させるようにしてもよい。このようにすれば、上流側フィルター室３０の気泡が排出流路３２から排出された後にフィルター目詰まり推測動作が実行されるので、気泡を起因とする推測部５９によるフィルター目詰まり推測動作における誤推測を抑制することができる。したがって、より高い精度でフィルターの目詰まりの程度を推測することができる。
【００６０】
・制御部５６は、インクジェット式プリンター１１の電源オフ時に、排出弁３５を制御して非連通状態から連通状態に切り替えるようにしてもよい。このようにすれば、インクジェット式プリンター１１の電源オフ時に液体供給路１７内が大気開放されるので、インクジェット式プリンター１１の不使用時に周囲の環境変化などの影響を受けて液体供給路１７内の圧力が上昇することを抑制できる。
【００６１】
・メインタンク１６のインクが空になったときの液圧センサー３４の圧力検出値であるエンプティー値を予め実験やシミュレーションによって求めてメモリー５８に記憶させ、液圧センサー３４の圧力検出値がエンプティー値になった場合に、制御部５６がメインタンク１６のインクが空になったことを認識するようにしてもよい。
【００６２】
・制御部５６は、供給ポンプ２６をインクで中間貯留部３９内を満タン状態にするのに十分な時間だけ駆動させても中間貯留部３９内のインクの満タン状態が液量センサー６０によって検出されない場合に、メインタンク１６のインクが空になったものと推測するようにしてもよい。
【００６３】
・制御部５６は、液圧センサー３４、供給ポンプ２６の駆動、液量センサー６０、メインタンク１６のインク量のソフトカウント値、及び各弁２５，３５，３６，３８，４４の開閉動作を組み合わせて、各弁２５，３５，３６，３８，４４の誤動作や液体供給路１７からのインク漏れを推測するようにしてもよい。
【００６４】
・例えば液体供給装置１５で取り扱うインク種を変更する場合には、中間貯留部３９内の変更前の古いインクを排出流路３２から排出するようにしてもよい。この場合、供給弁２５及び下流弁３８を閉弁するとともに排出弁３５及び上流弁３６を開弁した状態で押圧部４０によって中間貯留部３９を押圧して中間貯留部３９内の変更前の古いインクを加圧することで、中間貯留部３９内のインクが排出流路３２から円滑に排出される。このようにすれば、中間貯留部３９内の変更前の古いインクを、液体噴射部１４を通すことなく排出することができるので、その後の液体噴射部１４の洗浄工程での負担を軽減することができる。
【００６５】
・制御部５６は、例えばメインタンク１６の交換のためにユーザーによってカバー２２が開けられた場合に、供給弁２５を閉弁するとともに供給ポンプ２６を停止させるようにしてもよい。このようにすれば、メインタンク１６の液体導出部２０から接続体２１が外された際に、接続体２１から液体供給路１７内に空気が引き込まれることを抑制することができる。
【００６６】
・フィルター２９は、ケース２８内の空間を上流側と下流側の２つの室に区画する平板形状にしてもよい。この場合、上流側の室が上流側フィルター室となる。
・液圧センサー３４は、必ずしも排出流路３２に設ける必要はない。すなわち、液圧センサー３４は、液体供給路１７に設けるようにしてもよい。この場合、液圧センサー３４を液体供給路１７における供給ポンプ２６と上流側フィルター室３０との間となる位置に設けてもよい。
【００６７】
・推測部５９は、必ずしも液圧センサー３４によって検出された圧力が設定された閾値Ｓよりも高い場合に、フィルター２９の目詰まりの程度がフィルター２９の交換を必要とする状態であると推測する必要はない。
【００６８】
・推測部５９は省略してもよい。
・液圧センサー３４は省略してもよい。
・制御部５６は省略してもよい。
【００６９】
・排出弁３５は省略してもよい。
・供給ポンプ２６は省略してもよい。この場合、メインタンク１６のインクを例えば空気圧によって加圧することによって液体噴射部１４側に供給するようにすることが好ましい。あるいは、メインタンク１６のインクを、水頭差を利用して液体噴射部１４側に供給するようにしてもよい。
【００７０】
・上記実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したような水系インク、非水系インク、油性インク、ジェルインク、ホットメルトインク等の各種液体組成物や液晶等が挙げられる。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【００７１】
１１…液体噴射装置の一例としてのインクジェット式プリンター、１２…ノズル形成面、１３…ノズル、１４…液体噴射部、１５…液体供給装置、１６…液体供給源の一例としてのメインタンク、１７…液体供給路、１８…タンクホルダー、１９…載置面、２０…液体導出部、２１…接続体、２２…カバー、２３…カバーセンサー、２４…回動軸、２５…供給弁、２６…供給ポンプ、２７…フィルター部、２８…ケース、２９…フィルター、２９ａ…孔、３０…上流側フィルター室、３１…支持板、３２…排出流路、３３…廃液タンク、３４…圧力センサーの一例としての液圧センサー、３５…排出弁、３６…上流弁、３７…サブタンクユニット、３８…下流弁、３９…中間貯留部、４０…押圧部、４１…空気供給部、４２…空気供給路、４３…空気圧センサー、４４…空気弁、４５…圧力調整弁、４６…キャリッジ、４７…弁内フィルター、４８…フィルター室、４９…供給室、５０…連通孔、５１…圧力室、５２…弁体、５３…付勢部材、５４…ダイヤフラム、５５…噴射部内フィルター、５６…制御部、５７…コンピューター、５８…メモリー、５９…推測部、６０…液量センサー、Ｓ…閾値。
【図１】
2018008379.tif 000003
【図２】
2018008379.tif 000004
【図３】
2018008379.tif 000005